(57)【要約】  筋肉調整装置（１０）は支持本体（２）と、支持本体（１２）に対し移動可能なフード状パッド（１４）と、ウェイト堆積部（１６）、及び懸垂機構（１８）の形状の抵抗手段とを備えている。懸垂機構（１８）を介して、ウェイト堆積部（１６）をフード状パッド（１４）に結合し、支持本体（１２）に対する第１位置から、支持本体（１２）に対する第２位置へのフード状パッド（１４）の移動に抗して、抵抗力を加えることができる。本発明筋肉調整装置はラグビーでの良好なスクラムを組むために必要な筋肉の調整を行うことができる。
2009543645.tif 000002
【特許請求の範囲】
【請求項１】
本体と、
使用中、使用者の頭部に接触するように配置された頭部部材と、
使用中、使用者の胸部に接触するよう配置された胸部部材と、を備える筋肉調整装置において、
使用中、使用者の背骨の縦方向に対しほぼ横方向に配置され、前記頭部部材から離間している軸線の周りの抵抗トルクに抗して、前記本体に対し相対的に回転するように前記頭部部材を配置し、前記使用者の頭部を前記抵抗トルクが前方に押圧するように構成し、
使用中、前記使用者の胸部が前方に動くのを抑止するように、前記胸部部材を前記軸線に対し取り付け、前記抵抗トルクに対抗する前記使用者の頭部の移動が前記背骨の頸部を主に訓練することを特徴とする筋肉調整装置。
【請求項２】
使用中、使用者の頭部の後部に接触するように前記頭部部材を配置した請求項１に記載の筋肉調整装置。
【請求項３】
前記軸線の周りに回転するように前記胸部部材を配置した請求項１、又は２に記載の筋肉調整装置
【請求項４】
前記胸部部材を前記軸線と共に移動するように、前記軸線に対し固着した請求項１、又は２に記載の筋肉調整装置。
【請求項５】
前記軸線の並進運動を受け入れる形態に前記筋肉調整装置を構成した前記請求項のいずれかに１項に記載の筋肉調整装置。
【請求項６】
抵抗力に抗する前記軸線の並進運動を受け入れる形態に前記筋肉調整装置を構成した請求項５に記載の筋肉調整装置。
【請求項７】
前記筋肉調整装置は前記軸線の周りに回転するように配置された少なくとも１個のカム部材を備え、前記抵抗トルクを発生するため、前記筋肉調整装置の使用中、力を加えるため前記軸線から離間した連結点を前記カム部材が備えている前記請求項のいずれか１項に記載の筋肉調整装置。
【請求項８】
前記連結点に加わる力が前記軸線の並進運動に抵抗する前記抵抗力である請求項６、及び７のいずれか１項に記載の筋肉調整装置。
【請求項９】
前記筋肉調整装置は使用中、使用者の肩に接触するように配置された肩部材を備え、
前記肩部材、及び前記頭部部材を前記本体に対し相対的に移動し得るようにし、前記肩部材、及び前記頭部部材が前記本体に対する第１位置から、前記本体に対する第２位置まで移動するのに対する抵抗力を生ずるよう前記肩部材、及び前記頭部部材に結合された抵抗手段を前記筋肉調整装置が備えている請求項1〜８のいずれか１項に記載の筋肉調整装置。
【請求項１０】
本体と、使用している時、使用者の肩に接触するように配置された肩部材と、使用している時、使用者の頭部に接触するように配置された頭部部材とを備え、前記肩部材、及び頭部部材は前記本体に対し相対的に移動可能であり、更に、前記肩部材、及び前記頭部部材が前記本体に対する第１位置から、前記本体に対する第２位置まで移動するのに対する抵抗力を生ずるよう前記肩部材、及び前記頭部部材に結合された抵抗手段を備え、前記頭部部材を前記本多に対し回転自在にしたことを特徴とする筋肉調整装置。
【請求項１１】
使用している時、使用者の頸椎（即ちＣ７−Ｔ１部分）の回転の中心にほぼ一致するように、前記頭部部材の回転の軸線を配置した請求項１〜１０のいずれか１項に記載の装置。
【請求項１２】
前記肩部材と共に移動できるように、前記肩部材に対し、前記胸部部材を固着した請求項９、１０、及び１１のいずれか１項に記載の装置。
【請求項１３】
前記頭部部材と共に回転できるように、前記頭部部材に対し、前記肩部材を固着した請求項９〜１２のいずれか１項に記載の装置。
【請求項１４】
前記肩部材と共に移動できるように、前記肩部材に対し、前記頭部部材を回転自在に取り付けた前記請求項９〜１２のいずれか１項に記載の装置。
【請求項１５】
前記肩部材を地面に対しほぼ水平に移動するように構成した請求項９〜１４のいずれか１項に記載の装置。
【請求項１６】
前記肩部材の水平移動に抗して作用する形態の力を前記抵抗手段によって生ぜしめる請求項１５に記載の装置。
【請求項１７】
前記地面に対しほぼ垂直に移動するように前記肩部材を構成した請求項９〜１６のいずれか１項に記載の装置。
【請求項１８】
前記肩部材の垂直移動に抗して作用する形態の力を前記抵抗手段によって生ぜしめる請求項１７に記載の装置。
【発明の詳細な説明】
【技術分野】
【０００１】
本発明は筋肉調整装置に関するものであり、また特に、本発明はこれに限定されないが、ラグビーの試合中にスクラムを組んでいる間、有効な動作を行うのに必要な筋肉、及び技術を発展させるため、ラグビーの競技者によって使用することができる筋肉調整装置に関するものである。
【背景技術】
【０００２】
ラグビーユニオン（ラグビー球技）は人気がある団体スポーツであり、攻撃を相手選手の身体に直接加えることが許される型の高度な集中力のため、このスポーツは名声が高い。高度の強さの表現、パワー、及びエアロビクス能力を含む種々の肉体的特性が要求されるスポーツである。
【０００３】
生理学的に言えば、強さとはイソメトリックなものか、イソトニックなものかのいずれかである。イソメトリック強さは抵抗に対する筋肉の収縮に関するもので、筋肉の長さは一旦、収縮すると同じ状態に留まる。関節の動きが無いように、一定の角度で抵抗を加えると、この形式の強さを発展させることができる。これに反し、イソトニック強さは長さが変化しても、筋肉が比較的一定の張力のままであるような筋肉の収縮に関するものである。従って、筋肉は集中位相を有しており、それにより、筋肉が収縮し、短くなると、偏心位相がこれに続き、これにより筋肉は長くなる。ウェイトを持ち上げたり、降ろしたりすると、この形式の強さを発達させることができる。
【０００４】
筋肉を一層強くし、筋肉を肥大させ、それにより現存する筋肉繊維を大きくするためには、習慣づけられたレベルを越えて、筋肉を働かせることにより、筋肉を過負荷にすることが必要である。ウェイトトレーニング中、最初に得られるのは第１に、内部筋肉の協調連携の向上に起因するものであり（２〜４週間）、次に、神経経路の適応である（６〜８週間）。このため、訓練中に使用される筋肉繊維の数の増大、及び筋肉を活性化させる方法における効率の向上を生ずる。約１０週間後では、筋肉の肥大が明らかになり、筋肉繊維の一層大きな寸法のため、単一の収縮中、一層大きな力を加えることができる。
【０００５】
筋肉繊維は収縮する速度によって、速筋（Ｆａｓｔ  Ｔｗｉｔｃｈ）、又は緩速筋（Ｓｌｏｗ  Ｔｗｉｔｃｈ）に分類される。負荷が十分大きくありさえすれば速筋が採用される。従って、これ等の繊維を発達させ、強さに関し、ほぼ最大の強化を得るには、重荷重による訓練が必要である。
【０００６】
スクラムを組むことはラグビーの試合における一つの重要な要素であり、選手の飛躍的な強さを必要とする。スクラムは軽度の違反、即ちゲームの停止によって、ボールの所有をめぐって、相互に争う両チームからの８人の選手から成る。それは選手が相手チームに対し持続する肉体的な力を行使する数少ない状態の一つである。スクラムは相手に対し肉体的、精神的優位のための争いにおける一体部分であり、従って、この領域での成功はコーチ、及び選手にとって非常に興味があるところである。
【０００７】
３人の選手がスクラム（即ち一団）のフロントロー（最前列）を形成し、従って、これ等の選手は争いに接触する人達である。フッカーはフロントローの中心に位置し、両側にはプロップ（ルーズヘッド、及びタイトヘッド）がいる。これ等の選手は伝統的に、強さ、特に首と背中の強さのレベルが高く、従って、スクラム状態で体験する大きな力を作用させ、また大きな力に耐える態勢が整っている。スクラムのセカンドロー（第２列）はフロントローを補強しており、２人の選手から成る。スクラムのバックローは３人の選手から成り、ナンバーエイトと、両側のフランカーである。バックローがスクラムの一体性を維持するため全体の構成をロックする。
【０００８】
各チームの一団は相手の一団に向き合って、相手の一団から僅かにずれて、別個に約１ｍ離れている。スクラムの第１段階は「クラウチ」及び「ホールド」であり、両方の一団の選手は膝を曲げ、相手に係合する前に、かがみこむ位置をとる。図１Ａは２つの対向するチームのための「クラウチ」及び「ホールド」位置を示す。図面では、簡明のため、各一団の中から唯一人の選手を示し、この場合、ルーズヘッドプロップを左側に示し、対向するタイトヘッドプロップを右側に示す。
【０００９】
係合すると、一団は互いに寄り掛かり、フロントローの各選手は相手の胸の下に頭を押し込む必要がある。「係合」位置を上述の選手に関し、図１Ｂに示す。この位置では各フロントフロー選手の頸椎、即ち頸部は曲がった状態である（即ち、選手の顎が強制的にその胸に向け押されていて、背骨が曲がっている）。この段階では、背骨が望ましい一線の位置になるようにするため、２人の敵対する選手が頸部を真っ直ぐにしようとしても不可能である。この係合の段階では、各集団によって行使する水平力（ＦＺ  ）は最も重要であるが、係合後はこの力は急速に減少する。係合力は選手の質量と、係合の速度との関数であると考えられるので、通常の大量の訓練によって最大化することができる。
【００１０】
スクラムの次の段階は攻撃のための正しい身体位置を選択することを要する。この段階は良好なスクラムを組むために非常に重要であり、図１Ｃに示されている。従って、攻撃を加える選手はその頭を相手の胸の中へ上方に向けて強制的に動かすことによって、自分の頸椎を伸ばし、同時に、自分の胸を使って、相手の頭の後部に圧力を加える。それ故、攻撃側選手は背骨を真っ直ぐにすることができ、このことは、相手に最適な力を加えるために必要である。この結果として、防御側選手は頸椎が極端に湾曲し、胸椎の位置合わせが悪く、好ましくない身体位置を強いられる。従って、防御側選手は相手に対して力を作用させるのに著しく不利になる。頸部トルク（ＴＣ  ）、即ち頭を回転させるため加える力は正しい身体位置をとっている間に加える最も重要な力である。
【００１１】
一旦、正しい身体位置をとると、攻撃側選手はその相手選手よりも一層大きな力を作用させることができる。スクラムのこの段階を持続するプッシュ段階と称し、図１Ｄに示す。このようにして、攻撃側選手はその腰背部の強さと、等張性の膝の伸長とを使用して、相手選手を持ち上げて、スクラムのマークを越えて、相手選手をその後方に駆動することができる。この持続するプッシュ段階中、水平力（ＦＺ  ）、垂直力（ＦＹ  ）、及び頸部トルク（ＴＣ  ）は全て重要である。
【００１２】
上述したところから明らかなように、良好なスクラムを組むために最も重要な段階は係合直後に、正しい身体位置をとることである。選手の背骨が一線になる望ましい位置を選手がとり得るためには、等張頸部伸長強さ（ＩＣＥＳ）が必要である。従って、最大のＩＣＥＳを有している選手ならば最初にこの姿勢を得易く、そして、直ちに相手チームに対して有利な立場になる。それは正しい身体位置を占めた選手は相手を後方に押すのに必要な力ＦＺ  、及びＦＹ  を容易に行使できるからである。
【００１３】
ラグビーにおける強化訓練の利点はよく文書に書かれており、スポーツにおける要望に答えるための準備の一部として、このような訓練を受けることは全てのポジション、及び全てのレベルの選手達にとって一般的な方法である。しかし、スクラムのフロントローにおける選手のための特別な調整装置が不足している。スクワット、及び重量上げのような確立した強さの訓練練習に多くの注目が集まっているが、頸部や背中の一層重要な筋肉群を強化するのに通常、殆ど時間を費やしておらず、特に、頸部の伸長（即ち、頭部を後方に動かし、顎を胸から離すように上げる動作）の際の重要な筋肉群を強化するのに時間を費やしていない。競技者はこの領域ではもともと強くなくてはならず、或いは多くの年月にわたり「活気のある」スクラムの練習を経験しなければならず、ゲームのこの局面で熟練した者でなければならない。
【００１４】
更に、競技の要求に対処するように、競技者が肉体的に一層良く準備すればする程、競技者がけがをすることが少ないと一般に信じられている。一般にラグビーでは、特にスクラムを組んでいる間は、頸椎の「過屈曲」（即ち通常の範囲を越えた曲げ）に大部分起因して、壊滅的な背骨の損傷を受けることが多い。頸部の筋肉を強くすることによって、競技者はこのけがのメカニズムに対する防護を一層厚くし、従って、重傷、又は麻痺状態の危険を減らすことが可能である。
【００１５】
通常のスクラメージ機械が全世界で、学校やラグビークラブで広く使用されている。最も普通に使用されている機械は全チームで使用できるようにした屋外用のローラ式機械である。しかし、多数の変更したものがあり、ばねにより張力を受けて保持される滑走部に沿って、パッドを前後に押圧するようにしたスレッド、及び固定フレーム機械がこれに含まれる。これ等の機械は僅かばかりの強さを取得し得るが、これ等機械の第一の目標はチームの育成であり、個々の技術を指導することである。
【００１６】
また、Ｒｈｉｎｏ、Ｐｒｅｄａｔｏｒ、及びＭｙｏＱｕｉｐ社によって特に製作された少数の個々のスクラム機械がある。Ｒｈｉｎｏ、及びＰｒｅｄａｔｏｒの両方の機械は空気圧システムを使用して、プッシュ強さ、又は「スクラム強さ」を測定することを試みている。一方、ＭｙｏＱｕｉｐ「Ｓｃｒｕｍ  Ｔｒｕｕｃｋ」はウェイトをベースとするシステムであり、スクラム、又はモールにおいてとる身体位置を維持しながら、水平方向のプッシュパワーの向上をねらったものである。
【００１７】
更に、特許文献１（国際公開第２００５／０４４４０２号）に記載されているＴｏｕｌｏｕｓｅのフランス・ラグビー・クラブによって使用されているシステムや、Ｓｃｒｕｍ  Ｍａｓｔｅｒ「Ｉｎｔｅｒｎａｔｉｏｎａｌ」のような多数の一層複雑なシステムがある。これ等のシステムには進歩したコンピュータ制御が含まれており、プログラムされて、使用者にフィードバックされる。特に、Ｔｏｕｌｏｕｓｅの機械は使用者の肩からのほぼ水平な力と、使用者の後頭部からのほぼ垂直な力を受け入れるように配置されたパッドを含んでいる。パッドは抵抗継手を介して支持フレームに連結されており、パッドに作用する力の測定値が得られる。特許文献２（米国特許第５３２４２４７号）には多軸背骨試験リハビリテーションの装置と、方法とが記載されており、特許文献３（米国特許第３２１６７２４号）にはフットボール訓練装置が記載されている。
【先行技術文献】
【特許文献】
【００１８】
【特許文献１】国際公開第２００５／０４４４０２号パンフレット
【特許文献２】米国特許第５３２４２４７号明細書
【特許文献３】米国特許第３２１６７２４号明細書
【発明の概要】
【発明が解決しようとする課題】
【００１９】
本発明の目的はフロントローフォワードが、特にそのスクラムを組む能力を増強し得る改良された筋肉調整装置を得るにある。
【課題を解決するための手段】
【００２０】
本発明の第１の態様は筋肉調整装置を得ることである。この装置は本体と、使用中、使用者の頭部に接触するように配置された頭部部材と、使用中、使用者の胸部に接触するように配置された胸部部材とを備える。頭部部材から離間する軸線の周りの抵抗トルクに抵抗するように、本体に対し、回転するよう頭部部材は配置される。使用中、使用者の背骨の縦方向に対し、ほぼ横方向にこの軸線を配置し、この抵抗トルクが使用者の頭部を前方に押圧するようにし、更に、胸部部材は軸線に対し取り付けられ、使用中、使用者の胸部の前方への移動を抑止するように構成し、抵抗トルクに対抗する使用者の頭部の移動が背骨の頸椎を主に訓練するように構成されている。
【００２１】
従って、本発明のこの態様によれば、頭部部材と胸部部材との相対的な配置によって、頭部部材の抵抗トルクに対抗する頭部の動きにより背骨の頸部を訓練する。このようにして、本発明装置はラグビー競技者の頸部を強化するように、筋肉を調整し、更にその他の部分の一般的な肉体の訓練をするように使用することができる。
【００２２】
現在の好適な実施例においては、使用中、使用者の頭の後部に接触するように頭部部材を配置する。しかし、使用者の頭の前側に、例えば使用者の前額部に、頭部部材が接触するようにすることもできる。
【００２３】
胸部部材を軸線の周りに回転するように配置することができる。例えば、頭部部材に同期して、胸部部材を軸線の周りに回転するようにしてもよい。代表的にはこの回転軸線は胸部部材と頭部部材との間に位置する。
【００２４】
代案として、胸部部材を軸線と共に動くように、この軸線に対し固着してもよい。この場合、軸線の周りにおける頭部部材の回転によって、頭部部材を胸部部材に対し相対的に動かす。
【００２５】
軸線の並進運動を受け入れるように、本発明装置を構成してもよい。この場合、頭部部材がその周りに回転する軸線、それ自体を、本体に対し相対的に動くように配置する。例えば、この軸線を水平方向、及び／又は垂直方向に動くようにしてもよい。実際に、軸線が弓形の通路を描くことができるように、本発明装置を構成してもよい。
【００２６】
抵抗力に抗する軸線の並進運動を受け入れられるように本発明装置を構成してもよい。このようにして、本発明装置は背骨の頸部を訓練するだけでなく、背骨の胸郭部、及び腰部のような他の身体部分、又は脚の筋肉組織までをも訓練することができる。
【００２７】
本発明装置は軸線の周りに回転するように配置された少なくとも１個のカム部材を備える。このカム部材は軸線から離間した連結点を備え、抵抗トルクを生ぜしめるため、装置の使用中、この連結点に力が加わるようにする。このようにして、カム部材に力を加えることによって、抵抗トルクを発生させる。このように構成した場合、例えばウェイト、及びプーリの構成によって抵抗トルクを発生させる。
【００２８】
連結点に加える力を軸線の並進運動に抵抗する抵抗力にすることができる。そのように構成した場合、この同一の抵抗力を使用して、軸線の並進運動に抵抗すると共に、頭部部材のための抵抗トルクを生ぜしめることができる。例えば、単一ケーブル、及びウェイト堆積部の構成を使用して、軸線の並進運動に抵抗する抵抗力を発生させ、更に、頭部部材のための抵抗トルクを発生させることができる。確かに、そのようなケーブルを水平に対して鋭角をなして配置すると、単一のケーブルが軸線の垂直移動、及び水平移動の両方に対する抵抗を発生することができる。
【００２９】
本発明装置は更に、使用中、使用者の肩に接触するように配置された肩部材を備えることができる。肩部材と頭部部材とを本体に対して、移動できるようにする。本発明装置は本体に対する第１位置から、本体に対する第２位置までの肩部材と頭部部材との移動に抗する抵抗力を発生させるため、肩部材と頭部部材とに結合された抵抗手段を備えることができる。
【００３０】
これはそれ自体、新奇な形態であると考えられ、従って、更なる態様から見ると、本発明は本体と、使用している時、使用者の肩に接触するように配置された肩部材と、使用している時、使用者の頭部に接触するように配置された頭部部材とを備え、肩部材と頭部部材とは本体に対し相対的に移動でき、更に、本体に対する第１位置から、本体に対する第２位置までの肩部材と頭部部材との移動に抗する抵抗力を生ずるよう肩部材と頭部部材とに結合された抵抗手段を備え、頭部部材を本体に対し、回転自在にした筋肉調整装置を提供する。
【００３１】
従って、この態様から見て、本発明は優れたスクラムを組むために必要な筋肉の調整をすることができる。特に、この装置は回動自在の頭部部材を使用することによって、等張頸部伸長強さ（ＩＣＥＳ）を発達させることができる。従って、本発明装置はスクラムの持続するプッシュ状態のために正しい身体位置をとるためのフロントロー競技者に必要な頭半棘筋、頸半棘筋、多裂筋、及び板状筋を対象にしている。これ等特定の筋肉の調整はまた頸椎の過屈曲による損傷を防止するのを助ける。第２部材の並進運動を通じて、また本発明装置は他の筋肉、特に腰背部の筋肉の調整を行う。このように、全体の背骨を安定化するのを助け、灼熱痛、即ち「激痛」、及び椎間板突出、即ち「脱出椎間板」の原因になる脊髄分節の過可動性を防止する。
【００３２】
また、本発明は複合多関節の訓練を組み入れた機能訓練を容易にする。従って、この装置はスクラムの持続するプッシュ段階中に必要な等張膝伸長のため大臀筋、及び大腿四頭筋を調整するのに使用することができる。また、スクラムに関連する最も普通のけがであるふくらはぎの損傷を減らすため、ふくらはぎの筋肉を調整するのに使用することができる。
【００３３】
現在要求されている条件に合うように長年にわたり公開されている装置に依存する場合より、非常に短い期間で、スクラム中に必要な筋肉の訓練をするため、競技者達は本発明筋肉調整装置を使用することができる。それだけでなく、本発明装置の使用を通じて、達成される強さの向上は現実のスクラムに繰り返し身体をかけて、達成されるよりも実際上、一層大きく、従って、本発明は以前に達成されたレベルよりも一層高いレベルで、競技者に競技を遂行させることができる。
【００３４】
抵抗手段は頭部部材の回転に逆らって作用する形態の力を提供するものであるのが好適である。頭部部材の回転に逆らって作用する形態の力は可変であるのが好適である。頭部部材の回転の軸線は、使用している時、使用者の頸椎（即ちＣ７−Ｔ１部分）の回転の中心にほぼ一致するように配置されるのが好適である。
【００３５】
使用している時、使用者の胴体に接触するように胸部部材を配置するのが好適である。それ故、これはフロントロー競技者の胸に当てる相手競技者の頭の位置をシミュレートすることができる。スクラムの持続する押圧段階のための正しい身体位置をとるようにするため、胸部部材は必要な力を一層正確に使用者が発生することができるようにする。胸部部材を本体に対し相対的に移動できるようにするのが好適である。胸部部材を肩部材に対し固着して、共に移動できるようにするのが好適である。
【００３６】
肩部材を頭部部材に対し固着し、共に回転し得るようにするのが好適である。代案として、頭部部材を肩部材に対し、回転できるように取り付けて、共に移動し得るようにする。
【００３７】
地面に対し、ほぼ水平に移動するように肩部材を構成するのが好適である。肩部材の水平移動に逆らって作用する力を抵抗手段が供給することは明らかである。肩部材の水平移動に逆らって作用する力が可変であるのが好適である。
【００３８】
地面に対し、ほぼ垂直に移動するように肩部材を構成するのが好適である。肩部材の垂直移動に抗して作用する力を抵抗手段が供給することは明らかである。肩部材の垂直移動に抗して作用する力が可変であるのが好適である。
【００３９】
頭部部材の回転に抗して作用する力と、肩部材の水平移動、及び／又は垂直移動に抗して作用する力との比は可変であるのが好適である。従って、フロントロー、セカンドロー、及びバックローの位置の必要な異なる力を得ることができる。
【００４０】
抵抗手段はウェイト堆積部、及び懸垂機構から成るのが好適である。使用者が肩部材、及び／又は頭部部材に力を加えて、それにより前記肩部材、及び／又は頭部部材を移動させ、及び／又は回転させた時、懸垂機構はウェイト堆積部から選択されたウェイトを懸垂するのが好適である。懸垂されたウェイトに作用する重力は前記肩部材、及び／又は頭部部材の移動、及び／又は回転に対する復帰力、又は抵抗力として作用することは明らかである。一層重いウェイトを選択すると一層大きな抵抗力を生ずる。
【００４１】
本体はこの装置を地面に支持するように構成するのが好適である。抵抗手段によって生じた力に打ち勝つため、使用者が押圧できる表面を提供するように構成された踏み板を本体が有するのが好適である。使用者のふくらはぎにおける筋肉の調整を行えるようにするため、使用者の足の母指球に接触するように踏み板を構成するのが好適である。抵抗手段が本体の一体の部分を形成しているのが好適である。
【００４２】
肩部材、及び／又は頭部部材、及び／又は胸部部材がパッドの当て物を有しているのが好適である。
【００４３】
この装置が全ての使用者の身体的大きさに適合するように調整可能であるのが好適である。
【００４４】
添付図面を参照して、一例としてのみ本発明の実施例を説明する。
【図面の簡単な説明】
【００４５】
【図１Ａ】スクラムのクラウチ、及びホールド段階を線図的に示す。
【図１Ｂ】スクラムの係合段階を線図的に示す。
【図１Ｃ】スクラムの段階で正しい身体位置の採択を線図的に示す。
【図１Ｄ】スクラムの持続するプッシュ段階を線図的に示す。
【図２】簡明のため連結するケーブルを示さず、本発明筋肉調整装置を示す。
【図３】図２の装置における調整自在の踏み板機構を示す。
【図４】図２の装置におけるパッド支持構体の平面図を示す。
【図５】図２の装置の調整可能なプーリ機構の一部を透明にした図面を示す。
【図６Ａ】使用者が最初の係合位置にある状態の図２に示す装置の使用を示す。
【図６Ｂ】使用者が正しい位置にある状態の図２に示す装置の使用を示す。
【図６Ｃ】使用者が持続するプッシュ位置にある状態の図２に示す装置の使用を示す。
【図７】図２の装置におけるプーリシステムの一部を示す。
【図８Ａ】図２の装置における懸垂機構の一部の前面図を示す。
【図８Ｂ】図８Ａの懸垂機構における一部の側面図を示す。
【図９Ａ】図２の装置におけるカムシャフトの側面図を示す。
【図９Ｂ】図９Ａのカムシャフトの端面図を示す。
【図９Ｃ】図２の装置におけるカムの斜視図を示す。
【図９Ｄ】図９Ｃのカムの断面側面図を示す。
【図１０】図２のカムに固着ケーブルを取り付けて示す。
【図１１Ａ】図２のカムに調整自在のケーブルを取り付けた端面図を示す。
【図１１Ｂ】図１１Ａの調整自在のケーブルを取り付けた平面図を示す。
【図１２Ａ】使用者が最も後方に倒れた状態にある本発明による第２実施例の装置の作動を示す。
【図１２Ｂ】使用者が中間状態にある本発明による第２実施例の装置の作動を示す。
【図１２Ｃ】使用者が最も前方に倒れた状態にある本発明による第２実施例の装置の作動を示す。
【図１３】本発明による第３実施例の装置の斜視図である。
【発明を実施するための形態】
【００４６】
図示の実施例においては、対応する符号は各実施例の対応する構成部分に使用する。
【００４７】
図２〜図６Ｃに本発明筋肉調整装置を示す。この装置１０は支持本体１２と、支持本体１２に対し移動できるフード状パッド１４と、ウェイト集積部１６、及び懸垂機構１８の形状の抵抗手段とを備える。ウェイト堆積部１６は懸垂機構１８を介して、フード状パッド１４に結合されており、支持本体１２に対する第１位置から、支持本体１２に対する第２位置へのフード状パッド１４の移動に対して抵抗力を加えることができる。
【００４８】
発泡体によって包囲され、レザーに覆われた金属フレームによって、フード状パッド１４は構成されている。
【００４９】
フード状パッド１４は第１部分（肩部材）２０を有し、この第１部分２０はほぼＵ字状をしており、使用者がフード状パッド１４の開口２２とほぼ同一方向に向いた状態で、使用者の肩が対向する側面２４の前面に当接し得るようにするため、使用者の頭部と、頸部とが開口２２に挿入されるように、第１部分２０は構成されている。使用中、開口２２がほぼ地面の方に向くように第１部分２０は指向している。また、フード状パッド１４は第２部分（頭部部材）２６を有し、この第２部分もほぼＵ字状をしており、第１部分２０の後面からほぼ水平に延びている。第２部分２６の開口２８は第１部分２０の開口２２とほぼ同一方向に指向している。しかし、第２部分２６は第１部分２０の側部２４より浅い側部３０を有する。従って、使用者の肩が側部２４の前面に当接している時、使用者の後頭部が第２部分２６のＵ字状をなす頂部の下側に当接しているように第２部分２６を構成する。
【００５０】
パッド付き棒３２の形状の第３（胸部）部材はフード状パッド１４の側部２４から懸垂している。パッド付き棒３２は地面に対しほぼ水平に指向しており、フード状パッド１４に対し固定した位置に保持されている。パッド付き棒３２は側部２４の下方に、側部２４の前面の前方に配置されており、使用者の肩が第１部分２０に当接している時、パッド付き棒３２は使用者の胸に接触している。
【００５１】
フード状パッド１４は支持本体１２の一部を形成しているパッド支持構体３４に回転可能に取り付けられている。パッド支持構体３４は図４に詳細に示されており、ほぼＣ字状のブラケット３６を備えており、使用中、使用者の肩が当接する面２４の反対側であるパッド１４の後部の周辺に、このブラケット３６は水平平面内に配置されている。ブラケット３６の各端部４２に設けたそれぞれの孔４０に、それぞれ通して、２個の回転可能な軸３８を設ける。これ等の軸３８の内方に向く端部に、この軸と共に回転するようにフード状パッド１４を取り付ける。軸３８の回転軸線、従って、フード状パッド１４の回転軸線（Ａ）は装置１０が使用されている時、使用者の頸椎（即ち、Ｃ７−Ｔ１部分）の回転の中心に、ほぼ一致するように構成されている。それぞれの孔４０内で軸３８が回転するように軸受４４を設ける。軸３８の外方にある端部４６にはそれぞれケーブル５０に連結されたカム４８を設ける。ケーブル５０は以下に一層詳細に説明する懸垂機構１８の一部を形成している。
【００５２】
２個の離間する円筒棒５２はフード状パッド１４に対して反対側であるブラケット３６の後部から、垂直支持構体５４に向け、水平平面内に延びている。垂直支持構体５４も支持本体１２の一部を形成している。２個の棒５２はほぼ方形の支持フレーム６０の対向する側部５８のそれぞれの孔５６に通っている。従って、フード状パッド１４のほぼ水平な移動（Ｆｚ  ）がブラケット３６に通る棒５２に伝わるので、棒５２は支持フレーム６０に通って、往復移動する。ブラケット３６に固着された棒５２の端部にはゴム停止素子６２が嵌着されており、棒５２の運動範囲の極限での支持フレーム６０とのいかなる接触をも和らげる。棒５２がそれぞれの孔５６内で、直線的に摺動するようにするため、軸受６４を設け、更に、孔５６に通る棒５２の運動範囲を限定するため、サークリップ６６を設ける。
【００５３】
ブラケット３６から最も遠い側の支持フレーム６０の側部６８において、支持フレーム６０を垂直支持構体５４に枢着する。従って、図４に示すように、パッド支持構体３４の全体がその端部６８に隣接する軸線（Ｂ）の周りに回動する構造になっている。図２に示す特定の実施例では、ブラケット３６に最も近い支持フレーム６０の側部７２の下に、支持部材７０を設け、パッド支持構体３４がほぼ水平な休止位置から下方に回動するのを防止する。従って、パッド支持構体３４は図２に矢印ＦＹ  によって示すように上方向に回動（又は回転）する構成である。
【００５４】
垂直支持構体５４はパッド支持構体３４を支持すると共に、ウェイト集積体１６及び懸垂機構１８を収容する。従って、この構造は必要な空間を最小にし、材料、製造コスを最小にするのを助ける。垂直支持本体５４は下端をベース７６に結合し、上端を横棒７８に結合した２個の中空直立体７４を有する。２個の円筒金属ロッド８０は直立体７４の間に配置され、ベース７６から横棒７８まで延在している。ロッド８０は多数の四辺形のメタルウェイト８２におけるそれぞれの円筒孔（図示せず）に通る。休止位置ではウェイト８２はベース７６から１個ずつ、積み重ねられて、堆積部を形成している。各ウェイト８２は横棒７８に向け、ロッド８０を摺動できる形態にされている。この積み重ねられたウェイトのうち１個のウェイト８２を選択することは、選択された実際のウェイトは選択されたウェイト８２の頂部に積み重ねた全てのウェイトを含むことを意味する。
【００５５】
図６Ａに示す懸垂機構１８はカム４８を介して、フード状パッド１４からウェイト８２まで取り付けられたケーブル５０を案内するように配置された一連のプーリ８４、８５を備えており、これにより、フード状パッドの移動により、選択されたウェイト８２が懸垂状態になる。懸垂状態になったウェイト８２はフード状パッド１４の移動に対する抵抗力を提供し、これによりフード状パッドを休止位置に戻すように作用する。各直立体７４内には、下部プーリ８４が地面に近く位置しており、上部プーリ８５Ａが横棒７８に近く位置している。図７に示すように、別のプーリ８５Ｂを各上部プーリ８５Ａの内側に位置させ、ケーブル５０を垂直支持構体５４の中央を下り、ウェイト８２に向け指向させる。
【００５６】
図２に示すように、フード状パッド１４の、ウェイト集積部に対する反対側に、フード状パッド１４の前方に、ケーブル案内構体８６を設ける。このケーブル案内構体８６はカム４８にほぼ一致して位置する２個の中空直立支柱８を備え、使用者の身体の幅を支柱８８の間に容易に収納し得るようにする。図６Ａに示すように、各支柱８８の中に、上部プーリ９０、及び下部プーリ９２を設ける。上部プーリ９０はカム４８の高さより僅かに低く位置し、下部プーリ９２は地面に近く位置する。
【００５７】
従って、上述のようにプーリを配置すると、ケーブル５０はカム４８から後方に上部プーリ９０に向け指向し、支柱８８を通って、下部プーリ９２に向け下降し、地面に近く、下部プーリ８４に向け前進し、直立体７４を通って上方に、プーリ８５Ａ、８５Ｂに向け上昇し、次に、ウェイト８２に向け下降する。図８Ａ、及び図８Ｂに示すように、選択されたウェイト８２に、ケーブル５０を連結するため、連結手段１３０を設ける。連結手段１３０はプーリ１３２を備え、ブラケット１３４を介して、ウェイト堆積部のうち最上位のウェイト８２に、プーリ１３２は取り付けられている。ケーブル５０をプーリ１３２の下側の周りに掛け、ケーブル５０の各部分がプーリ１３２と、それに関連する上部プーリ８５Ｂとの間に延在するようにする。この構成により、ケーブル５０の両方の部分における張力が等しいままであり、従って、フード状パッドには捩れを生じない。螺着されたボルト１３６によってブラケット１３４を最上部のウェイト８２に取り付ける。最上位のウェイト８２の下側から細長い金属支柱１３８を懸垂し、この支柱の長さ方向に離間した一連の貫通孔１４０を金属支柱１３８に設ける。各ウェイト８２に中心孔（図示せず）を設け、ウェイト堆積部１６に通して、支柱１３８を垂直に上下に動かし得るようにする。また、各ウェイト８２には中心孔を横切って、孔（図示せず）を設け、休止位置において、即ち、全てのウェイト８２がウェイト堆積部１６を形成している場合、各ウェイト８２のこの横孔が支柱１３８の対応する孔１４０に一線になるようにする。次に金属ピン１４２を選択されたウェイト８２、及び孔１４０に挿入する。従って、プーリ１３２をその休止位置から上昇させると、それと共に、ピン１４２を通した１個のウェイトを含むその上方の全てのウェイト８２と支柱１３８とを引き上げる。ピン１４２によって選択されたウェイトより下のウェイト８２は静止したままであり、支柱１３８は静止しているウェイトの中心の孔を通って垂直に摺動する。
【００５８】
図６Ｂに矢印ＦＺ  によって示すほぼ水平方向に、フード状パッド１４を前方に強制的に力を加えると、ケーブル５０は張力を受け、更に前方に動かすと、ウェイト８２はウェイトの堆積部から上昇する。同様に、使用者が頸部を延ばすことによって、図６Ａに矢印ＴＣ によって示す方向に、フード状パッド１４を回転すると、下に述べるようなカム４８の構造に起因し、ケーブル５０に張力が加わることになり、従って、ウェイト８２が上昇する。更に、図４に矢印ＦＹ  の方向に、軸線Ｂの周りに、パッド支持構体３４が回転すると、また、ケーブル５０に張力が加わり、従って、ウェイト８２が上昇する。フード状パッド１４のほぼ垂直な移動は、図６Ａに示すように、ＦＹ  の方向の回転となる。
【００５９】
各カム４８の基本的構造を図９Ａ〜図９Ｄに示す。図９Ａは軸３８を取り付けたフード状パッド１４の一側部を示す。軸３８はスプラインを形成した端部１４４を有しており、このスプライン端を図９Ｂに端面図で示す。図９Ｃはプラスチック製の円形カム４８を示し、この円形カムはその周端縁の周りに溝１４６を有する。軸３８のスプライン端１４４に相互に係合する構成の中心孔１４８をカム４８は有する。図９Ｄはカム４８の断面側面図を示す。カム４８をスプライン端１４４に滑り込ませ、サークリップ（図示せず）によって取り付ける。図１０は装置１０に採用するカム４８の１個を一層詳細に示す。上述した構成の他に、このカム４８はケーブル５０の端部に取り付けた金属ピン１５２を収容する形態の横溝１５０を有する。ピン１５２をケーブル５０に取り付け、Ｔ字状の端部を形成し、ピン１５２を溝１５０内に設置した時、ピン１５２がカム４８の軸線に平行になるようにする。図１１Ａ、及び図１１Ｂは装置１０に採用した他のカム４８を一層詳細に示す。この構造では、カム４８から半径方向に突出する支柱１５４の周りにケーブル５０を巻き付け、次にこのケーブルを２個の対向する金属板１５６間にクランプする。２個の板１５６間の距離を開閉するため、ねじ付きレバー１５８を設ける。従って、ケーブル５０を所定位置にクランプする前に、金属板１５６を離間し、ケーブル５０を支柱１５４の周りに引っ張って、ケーブル５０の長さを調整することができる。
【００６０】
プーリ９０、及び支柱８８の好適な構造を図５に示す。この場合、ケーブル５０が通るようにした狭い縦スリット１０６を支柱８８に設ける。支柱８８内で、上下に自由に摺動する箱形ハウジング１０８内にプーリ９０を配置する。プーリ車１１０をハウジング１０８の中心に位置させ、ハウジング１０８の両側部間に延在する軸１１２の周りにプーリ車１１０を回転自在にする。孔１１４Ａ、１１４Ｂをハウジング１０８に設け、縦スリット１０６に隣接して配置した孔１１４Ａを通じて、ケーブル５０をハウジング１０８に入れ、ハウジング１０８の底部の孔１１４Ｂを経て、ケーブル５０をハウジングの外へ出すようにして、ケーブル５０が支柱８８、及び／又は直立体７４に沿って移動するように構成する。ハウジング１０８に取り付けられ、縦スリット１０６に貫通しているねじクランプ機構１１６によって、ハウジング１０８を支柱８８に固着することができる。従って、支柱８８の長さ方向に沿う、異なる位置にプーリハウジング１０８をクランプすることによって、プーリ９０の高さを簡単に調整することができる。この特殊な構造はケーブル５０とクランプ機構１１６とのために同一の縦スリット１０６を使用することによって、支柱８８の強度の減少を最小にしている。代案の実施例では、プーリ８４、８５、９２も調整自在にする。
【００６１】
図２に示すように、支持本体１２にも基礎支持構体９４を設け、装置１０を支持すると共に、全体の構造を維持する。基礎支持構体９４は細長い中空の四辺形の箱から形成された金属基礎板９６を備える。基礎板９６の一端を垂直支持構体５４のベース７６に取り付ける。基礎板９６の他端には調整可能な踏み板機構９８を設ける。調整可能な踏み板機構９８は突出可能な金属部材１００を備えており、その一端は金属基礎板９６内に抜き差し摺動し係合できる協働可能な寸法になっている。図３に示すように、突出可能な金属部材１００に縦方向に離間する一連の孔１０１を設け、金属基礎板９６の端部付近に設けた単一の孔１０３に合致させ得るようにする。ばね負荷ボルト１０５を設け、孔１０３、及び突出可能な金属部材１００の選択された孔１０１に挿入できるようにして、部材１００を希望する位置に保持し得るようにする。金属踏み板１０２を突出可能な金属部材１００の自由端から横方向に延在し、上方から見た時、Ｔ字状構造を形成するようにする。踏み板１０２の頭部は直立するほぼ平坦な面１０４を備えていて、この面は基礎板９６の上面に対し鈍角に配置されている。従って、踏み板１０２は使用者が足で押すことができる表面１０４を提供しており、支持本体１２に対しフード状パッド１４を動かすのに必要な力を発生することができる。
【００６２】
図２に示すように、ケーブル案内構造８６も基礎支持構体９４に取り付けるのが好適である。しかし、調整可能な踏み板機構９８、及び特に突出可能な金属部材１００が基礎板９６内で自由に摺動できるようにするため、図３に示すように延長部１１８をケーブル案内構造８６の取り付けのため、基礎板９６の外部に溶接して取り付ける。ケーブル案内構造８６の支柱８８はそれぞれ下端に取り付けた脚部１１９を有する。脚部１１９は支柱８８と結合して、Ｌ字状構造を形成する。脚部１１９は反対側の支柱８８に向け内方に延び、その自由端を基礎板９６の延長部１１８に取り付けている。ケーブル案内構造８６の応力を最小にするため、各脚部１１９とその対応支柱８８との間の隅角継目に、ほぼ三角形の支持部１２１を設ける。また、支持部１２１はケーブル５０を隠蔽する利益を有する。
【００６３】
装置１０の使用の代表的な形態を図６Ａ〜図６Ｃに示す。即ち、使用者１２０は踏み板１０２の上に足を置き、身をかがめることにより開始位置をとり、前方に身を傾けて、フード状パッド１４の湾曲した下側に後頭部を置き、フード状パッド１４の前面２４に肩を当て、パッド付き棒３２に胸を当てる。この位置において、使用者の頸椎を固着し、使用者のＣ７−Ｔ１関節を腰より僅かに下方にする。これは図６Ａに示すように、スクラムを組んだフロントローの選手の係合位置をシミュレートしている。装置１０の作動を開始するため、使用者１２０はフード状パッド１４を強制的にＴＣ の方向に回転することによって、使用者１２０は最初に自分の頸椎を伸ばす。この運動によりケーブル５０を引っ張り、取り付けたウェイト８２を上昇させ、それによりパッド１４の移動に対する抵抗力を発生させる。同時に、使用者１２０は腰椎の筋肉を使用して、パッド支持構体３４を強制的に僅かに上方にほぼ垂直なＦＹ  の方向に持ち上げ、背骨が真っ直ぐになる望ましい位置にし、これにより使用者の背骨を地面にほぼ平行になるようにする。また、ＦＹ  方向に動かすと、ケーブル５０に張力を加え、ウェイト堆積部から離して、懸垂されたウェイトを一層高く上昇させる。従って、使用者１２０は図６Ｂに示すような正しい身体位置にある。次の工程で、使用者は膝を伸ばし、ＦＺ  の方向に、ウェイト堆積部１６の方向に肩で前方に押す。これはスクラムの持続するプッシュの段階であって、図６Ｃに示す。もう一度、パッド１４を移動させると、ケーブル５０に更に張力が加わり、ウェイト８２がウェイト堆積部から一層高く持ち上げられる。使用者が脚を完全に伸ばすと、パッド１４は上述の動きとは逆の順序で移動して、開始位置に戻る。これにより、訓練の１サイクルが完成する。任意の所定の訓練時間中、上のサイクルを多く繰り返して行うのが望ましい。パッド１４がその休止位置にない時は常に、ウェイト堆積部１６からの抵抗力を使用者１２０に加わっていることに注目すべきである。従って、訓練の運動の全範囲にわたり、力が加えられる。一層重いウェイト８２を選択すれば加わる抵抗力が増大する。
【００６４】
同一の強さを増大するためには、使用者１２０は数秒間、正しい身体位置、又は完全に伸びた位置を保ち、それにより、力を一定の角度で加えるようにする。
【００６５】
上の説明はフロントローフォワードによる使用に集中したが、セカンドローフォワード、及びバックローフォワードでも装置１０を使用すれば有利である。セカンドロー選手やバックロー選手は水平なＦＺ  方向に力を出す必要があるだけであるから、ＴＣ  方向のパッド１４の回転と、ＦＹ  方向のパッド支持構体３４の移動とをロックすることができる。代案として、上部プーリ８５の位置を変更し、ケーブル５０と円筒棒５２とが水平に留まるようにする。従って、セカンドローフォワード、及びバックローフォワードの訓練は図６Ｂ、及び図６Ｃに示すように、上述の訓練における最後の膝を伸ばす段階のみを含む。
【００６６】
しかし、固有の棘筋の調整は負傷を防止するのを助けることができると言うことが広く受け入れられているので、全ての選手が装置１０の３個の自由度、ＴＣ  、ＦＹ  、及びＦＺ  の全てを少なくとも或る程度使用して訓練することが望ましい。これは別個のふくらはぎにおける筋肉の訓練、しゃがみこみ姿勢、デット負荷リフト、及び頸部伸長の訓練を行うよりは一層有効であり、時間の消費も少ない傾向があるので良好な全体的な訓練になり得るものである。本発明装置１０による訓練は同時に異なる筋肉群をも訓練するので、一層バランスのとれた強化を達成することができる。
【００６７】
従って、本発明はスポーツでスクラムを成功させるのに必要な筋肉を発展させるのに使用し得る筋力調整装置１０を提供する。特に、スクラムの上手な持続するプッシュ段階のための正しい身体位置をとるため、フロントロー選手にとって必要なＩＣＥＳを開発するためにフード状パッド１４の回転を使用することができる。
【００６８】
片寄ることのない等しい強さを得るトレーニングに必要とするように、本発明は使用者の運動の範囲にわたり、ほぼ一定の力を加えるようにする。従来の提案は設定された身体位置で、使用者によって力を作用させるに過ぎず、従ってイソメトリック強さを開発するために使用されるのみであった。
【００６９】
上述の本発明装置１０の特別な構造はパッド１４、３２の望まない移動は最小にし、円筒棒５２に信頼性のある平滑な作動を行わせることである。更に、上述の構成により、３個の力の成分ＴＣ  、ＦＺ  、及びＦＹ  を唯一つのウェイト堆積部１６に結合させることができる。
【００７０】
ブラケット３６はケーブル５０の張力からフード状パッド１４が確実に、負荷を受けることがないようにする。このことはブラケット３６がカム軸３８を収容している負荷点に安定性を与えている。
【００７１】
上述の構成の場合、ＦＹ  対ＦＺ  の割合を変化させるため、プーリ９０の高さを移転させることができる。
【００７２】
上述の実施例におけるように、パッド１４の両側から、ケーブル５０をウェイト堆積部１６に取り付け、ケーブル５０の張力をパッド１４の両側で同一にし、従って、パッド１４のいかなる捩りモーメントも消滅させるのが好適である。代案として、パッドの一側の円弧、又はカム上の一点に単一のケーブルを取り付け、ＴＣ  によって示す方向にパッドがなお回転できるようにしてもよい。
【００７３】
本発明の上述の実施例はＦＹ  方向の回転を許容したが、必要なのはパッド１４の上方への垂直運動のみである。記載した実施例では、装置１０の設計に単に起因する回転があり、これにより円筒棒５２が一端で回動する。
【００７４】
代案の実施例では、ウェイト堆積部１６を支持本体１２の一側に位置させ、ケーブル５０を円筒棒５２に通すことなく、ケーブル５０をパッド１４から、ウェイト堆積部１６に直接結合する。
【００７５】
別の実施例では、ウェイト堆積部１６を円筒棒５２の中心に位置させ、ケーブル５０をウェイト８２に取り付ける前に、ケーブル５０を円筒棒５２の後部のプーリに直接送り、次に上部プーリ８５に送る。代案として、単一のケーブル５０を採用してもよい。
【００７６】
他の実施例では、２個、又はそれ以上のウェイト堆積部１６を採用する。従って、それぞれについて別個のウェイト堆積部を設けることによって、それぞれの力ＴＣ  、ＦＹ  、及びＦＺ  を切り離すことが可能である。
【００７７】
更に他の実施例では、釣り合いウェイトを設け、パッド支持構体３４の重量をバランスさせる。この釣り合いウェイトをフレーム６０に取り付けて、垂直支持構体５４の背後に延在させることができる。これにより、使用者が垂直力（ＦＹ  ）のみを受けるようにすることができ、これはパッド支持構体３４自身の重量から生ずる力に対抗する力として、ケーブル５０を経て生ずる力の結果である。
【００７８】
要約すれば、筋力調整装置１０は支持本体１２と、この支持本体１２に対し移動できるフード状パッド１４と、ウェイト堆積部１６、及び懸垂機構１８の形状の抵抗手段とを備える。懸垂機構１８を介して、ウェイト堆積部１６をフード状パッド１４に結合し、支持本体１２に対する第１位置から、支持本体１２に対する第２位置までのフード状パッド１４の移動に抗して抵抗力が加わるようにする。本発明装置は良好なラグビーのスクラムに必要な筋肉の調整を行うことができる。
【００７９】
本発明の範囲から逸脱することなく、上述の実施例に種々の変更を加え得ることはこの分野の当業者には明らかである。例えば、上述の説明は良好なスクラムに必要な筋肉を発達させるために本発明装置を使用することに関するものであるが、本発明は他の用途、例えば異なるスポーツ、又は次のような特定の病気、又はけがのための筋肉の開発に関する他の用途にも適用することができる。
【００８０】
これに関して、図１２Ａ〜図１２Ｃは一般の身体の訓練に適する本発明の第２実施例による筋肉調整装置の作動を線図的に示している。図面に示すように、この装置は軸線３８の周りに回転するように配置された頭部部材２６と、胸部部材３２とを備えている。図１２Ａから図１２Ｃまでの位置の進行によって示されているように軸線３８は移動することができ、頭部部材２６と、胸部部材３２とは軸線３８の周りに回転することができる。図１２Ａ〜図１２Ｃに大きな矢印で示す抵抗は以前の実施例におけるように、ケーブル（図示せず）に取り付けたウェイト堆積部によって与えられる。大きな矢印の方向に軸線を押圧するようにケーブルは作用し、以前に説明したように、カム構成によって、頭部部材２６のための抵抗トルクを生ずる。
【００８１】
第２実施例は背骨を強化するのに必要な自由度のみを使用する自由度２の強度調整機械であって、従って、使用者の肩に接触させるパッドを有していない。従って、この機械はサイクリング、乗馬、体操、アイスホッケー、及び雪上スポーツのような脊髄のけがが課題として残るような非接触形のスポーツに適している（大きな矢印はカムに取り付けたケーブルの張力を示している）。この実施例の装置は使用者が着席し、次にパッドに押しつけることによって背下部を伸ばす点で現在の腰部伸展機械に似ているが、相違するのは、本発明装置は単一のパッドの代わりにパッド２６を後頭部に接触させ、更にパッド３２を例えば胸骨のようなＣ７−Ｔ１部分より下の胸の前部に接触させ、従って頸椎の周りにもモーメントを生ぜしめる点である。次に使用者は背骨を伸ばすことができ、背骨における３個のすべての部分（頸部、胸郭、及び腰）全てに同時に抵抗が加わる。軸線３８はほぼ使用者の背骨のＣ７−Ｔ１部にある。胸部部材３２を使用者の胸に接触させ、背骨の上部（頸部）を残りの下部から離間させる。背骨は複雑な構造であるから、軸線３８は必ずしも使用者の腰の周りに回転させない。従って、軸線３８の運動は一層複雑な経路をとる。
【００８２】
図１３はスクラムの訓練のためを意図した本発明の第３実施例を示す。この実施例は図２の実施例にほぼ類似しており、対応する符号を対応する部分に使用している。類似している点は詳細に説明せず、簡明のため、ウェイト堆積部、及びケーブルは図示していない。この構成では、別個のパッド２４によって肩部材を設け、また別個のパッド２６によって頭部部材を設け、フード状パッドは存在しない。この実施例の胸パッド３２は肩パッド２４から懸垂しており、軸線３８の周りに回転しない。
【図１Ａ】
2009543645.tif 000003
【図１Ｂ】
2009543645.tif 000004
【図１Ｃ】
2009543645.tif 000005
【図１Ｄ】
2009543645.tif 000006
【図２】
2009543645.tif 000007
【図３】
2009543645.tif 000008
【図４】
2009543645.tif 000009
【図５】
2009543645.tif 000010
【図６Ａ】
2009543645.tif 000011
【図６Ｂ】
2009543645.tif 000012
【図６Ｃ】
2009543645.tif 000013
【図７】
2009543645.tif 000014
【図８Ａ】
2009543645.tif 000015
【図８Ｂ】
2009543645.tif 000016
【図９Ａ】
2009543645.tif 000017
【図９Ｂ】
2009543645.tif 000018
【図９Ｃ】
2009543645.tif 000019
【図９Ｄ】
2009543645.tif 000020
【図１０】
2009543645.tif 000021
【図１１Ａ】
2009543645.tif 000022
【図１１Ｂ】
2009543645.tif 000023
【図１２Ａ】
2009543645.tif 000024
【図１２Ｂ】
2009543645.tif 000025
【図１２Ｃ】
2009543645.tif 000026
【図１３】
2009543645.tif 000027
【国際調査報告】
2009543645.tif 000028
2009543645.tif 000029
2009543645.tif 000030